(57)【要約】【課題】飲料容器のスクリューキャップを片手で容易に開栓し得るようにする。【解決手段】開栓装置１０は、スクリューキャップ１２付きの飲料容器２０が挿入される筒状中空部１４を有するハウジング１６と、ハウジング１６の内側に設けられて勾配が付された突出部１８ａからなるスロープ部１８と、ハウジング１６内に昇降自在に配設されて飲料容器２０の底部を支持し、スロープ部１８に当接する倣い片２２を有する中間支持部材２４と、常には中間支持部材２４を上方へ付勢する付勢手段２６とから構成されている。中間支持部材２４に載置した飲料容器２０を押し下げることで、突出部１８ａに沿って倣い片２２が移動することに伴って該中間支持部材２４が旋回しながら降下し、これにより該飲料容器２０の容器本体４６に回転を付与されてスクリューキャップ１２が緩むようになる。【選択図】図５
2006021780.tif 000002
【特許請求の範囲】
【請求項１】
スクリューキャップ(12)付きの飲料容器(20)が挿入される筒状中空部(14)を有するハウジング(16,62)と、
前記ハウジング(16,62)の内側に設けられたスロープ部(18,64,68)と、
前記ハウジング(16,62)内に昇降自在に配設されて前記飲料容器(20)の底部を支持し、前記スロープ部(18,64,68)に当接する倣い片(22,70)を有する中間支持部材(24)と、
常には前記中間支持部材(24)を上方へ付勢する付勢手段(26)とからなる
ことを特徴とする飲料容器の開栓装置。
【請求項２】
前記スロープ部(18)は、前記ハウジング(16)の底部をなす基台(30)に突設されて同心の円周上にあり、同一方向への勾配が付されている複数の突出部(18a,18b)からなり、前記中間支持部材(24)に載置した前記飲料容器(20)を押し下げることで、各突出部(18a,18b)に沿って前記倣い片(22)が移動することに伴って該中間支持部材(24)が旋回しながら降下し、これにより該飲料容器(20)に回転を付与し得る請求項１記載の飲料容器の開栓装置。
【請求項３】
前記スロープ部(64)は、前記ハウジング(62)の側部をなす筒部材(82)の内壁面に沿って突設されて螺旋または螺旋の一部をなす突出部(64a,64b)からなり、前記中間支持部材(24)に載置した前記飲料容器(20)を押し下げることで、各突出部(64a,64b)に沿って前記倣い片(22)が移動することに伴って該中間支持部材(24)が旋回しながら降下し、これにより該飲料容器(20)に回転を付与し得る請求項１記載の飲料容器の開栓装置。
【請求項４】
前記スロープ部(68)は、前記ハウジング(62)の側部をなす筒部材(82)の内壁面に沿って凹設されて螺旋または螺旋の一部をなす凹溝部(68a,68b)からなり、前記中間支持部材(24)に載置した前記飲料容器(20)を押し下げることで、各凹溝部(68a,68b)に沿って前記倣い片(70)が移動することに伴って該中間支持部材(24)が旋回しながら降下し、これにより該飲料容器(20)に回転を付与し得る請求項１記載の飲料容器の開栓装置。
【請求項５】
前記付勢手段(26)は、旋回しながら降下した前記中間支持部材(24)に対する前記飲料容器(20)の押し下げを解除することに伴い、該中間支持部材(24)を反対方向へ逆旋回させながら上昇させ得る請求項１〜４の何れかに記載の飲料容器の開栓装置。
【発明の詳細な説明】
【技術分野】
【０００１】
この発明は、飲料容器の開栓装置に関し、更に詳細には、ペットボトル等の飲料容器に設けられたスクリューキャップを容易に開栓する飲料容器の開栓装置に関するものである。
【背景技術】
【０００２】
現在、清涼飲料等の飲料容器としては、ペットボトルやアルミボトル等に代表されるように、開栓後に何度でも開閉可能なスクリューキャップを有したタイプのものが主流となっている。このようなスクリューキャップを有する飲料容器(以後、飲料容器とする)は、従来のプルタブ式やステイオンタブ式のアルミ缶等と比較して持ち運びに適しており、また走行中の自動車内に載置しても内容物がこぼれることがなく、安心してドリンクホルダー等に載置しておくことができる。
【０００３】
ところで、前記飲料容器のスクリューキャップを開栓する際には、通常、該容器の本体を一方の手で把持すると共に、他方の手で該スクリューキャップを捻って行なうが、例えば子供や老人等の該キャップを捻る力が弱い人にとっては、この開栓が困難な場合が生じていた。このような問題を解決するため、スクリューキャップの開栓を補助する装置として、例えば特許文献１および特許文献２等に開示されているように、種々のものが提案されている。
【特許文献１】特開２００３−１１２７９５号公報
【特許文献２】特開２００１−５８６９６号公報
【発明の開示】
【発明が解決しようとする課題】
【０００４】
ところが、特許文献１および特許文献２で示したような従来の開栓装置は、何れも飲料容器の本体を一方の手で固定しつつ、他方の手で該装置をスクリューキャップに係止させながら回動させることで開栓を図るものであり、基本的には両手を使った操作によって開栓を行なうものであった。従って、例えば自動車を運転中のドライバーが、この開栓装置を使用することは、両手操作を必要とするためステアリングから手を離さなければならなかった。
【０００５】
そこで本発明は、前述した従来の技術に内在している前記課題に鑑み、これを好適に解決するべく提案されたものであって、飲料容器のスクリューキャップを片手で容易に開栓し得る飲料容器の開栓装置を提供することを目的とする。
【課題を解決するための手段】
【０００６】
前記課題を克服し、所期の目的を達成するため本発明は、
スクリューキャップ付きの飲料容器が挿入される筒状中空部を有するハウジングと、
前記ハウジングの内側に設けられたスロープ部と、
前記ハウジング内に昇降自在に配設されて前記飲料容器の底部を支持し、前記スロープ部に当接する倣い片を有する中間支持部材と、
常には前記中間支持部材を上方へ付勢する付勢手段とからなることを特徴とする。
【発明の効果】
【０００７】
本発明に係る飲料容器の開栓装置によれば、スクリューキャップを把持しながら飲料容器を押し下げることで、該飲料容器に回転が付与されて該スクリューキャップの開栓操作を行ない得る構成したので、片手での開栓操作を行ない得るという極めて有益な効果を奏する。また、飲料容器に対して、その縦方向へ力を加えるだけで開栓操作を行なうことが可能となり、力を加え易いので開栓を容易に行なうことができる。従って、捻る力の弱い老人・子供等や運転中のドライバーも容易に飲料容器を開栓することができる等の利点がある。
【発明を実施するための最良の形態】
【０００８】
次に、本発明に係る飲料容器の開栓装置につき、好適な実施例を挙げて、添付図面を参照しながら以下説明する。
【実施例】
【０００９】
(第１実施例)
図１は、本発明の第１実施例に係る飲料容器の開栓装置１０を示す分解斜視図である。第１実施例に係る開栓装置１０は、スクリューキャップ１２付きの飲料容器２０が挿入される筒状中空部１４を有するハウジング１６と、ハウジング１６の内壁面(内側)に設けられたスロープ部１８と、ハウジング１６の筒状中空部１４に昇降自在に配設されて飲料容器２０の底部を支持し、スロープ部１８に当接する倣い片２２を有する中間支持部材２４と、常には中間支持部材２４を上方へ付勢する付勢手段２６とから基本的に構成されている。
【００１０】
開栓装置１０の外面を形成するハウジング１６は、前述の筒状中空部１４を画成して該ハウジング１６の側部をなす円筒状の筒部材２８と、この筒部材２８に取付けられて該ハウジング１６の底部をなす基台３０とから構成された有底円筒体である。また、図２に示すように、ハウジング１６の上部開口３２は、その全周に亘ってひさし状に延出して上部開口３２の内径寸法が中間支持部材２４の外形寸法より小さくなっているため、付勢手段２６によって上方へ付勢される該中間支持部材２４が上部開口３２の内側に当接して上方へ飛び出さないようになっている。なお、このハウジング１６の外面形状は第１実施例の如き円筒形状に限定されるものでなく、例えば多角筒状等に変更することも可能である。
【００１１】
ハウジング１６の底部をなして開栓装置１０を支持する基台３０は、筒部材２８の外郭寸法と一致する所要の厚みを有した円盤状に形成されている。また、その下面には、合成樹脂や両面テープ等の摩擦係数が高い材質からなるノンスリップ材３４が貼着され、開栓装置１０が置かれる載置面とハウジング１６との滑りを防止して、開栓操作を確実に行ない得るようになっている。従って、開栓装置１０を摩擦力の小さい机等に置いたり、車内に設けた容器ホルダー等の底部に置いたりして使用することが可能となっている。
【００１２】
なお、図１に示すように、基台３０の上面中央位置には筒状の支持筒部３６が設けられ、中間支持部材２４の下面中央に対応的に設けられる後述の回動支軸３８が挿入されることで、該中間支持部材２４の安定的な旋回昇降が得られるようになっている。更に、基台３０の所要位置に下端係止片４０が設けられ、後述する上端係止片４２と共に付勢手段２６の上下の端部と係止して、該付勢手段２６を所定の位置に固定するようになっている。
【００１３】
スロープ部１８は、ハウジング１６の底部をなす基台３０に突設されて同心でかつ同一の円周上にあり、夫々が同一方向への勾配が付されている複数(第１実施例では３つ)の突出部である円弧片１８ａ,１８ａ,１８ａからなっている。すなわち、各円弧片１８ａは、図１に示すように、所要高さを有した最高位置Ｐｈから最低位置Ｐｌに向けて時計回り方向への勾配が付されている。また図３に示すように、基台３０の中心点Ｏに対する円弧片１８ａの中心角θが１２０°ずつに設定されている。この円弧片１８ａの中心角θの値によって、中間支持部材２４の回転量が決定されるので、該中心角θを変更することで、飲料容器２０の開栓レベルを調節することができる。更に、この円弧片１８ａの上面には、滑らかに加工された案内面４４が形成されており、後述する中間支持部材２４の倣い片２２が対応的に当接すると共に、該倣い片２２を当て受けながら案内し得るようになっている。
【００１４】
そして、これら３つの円弧片１８ａ,１８ａ,１８ａは、基台３０を筒部材２８に取付けた際に、ハウジング１６内の底部内側において筒状中空部１４に臨むようになる。なお第１実施例では、円弧片１８ａを基台３０に３つ配設した場合を示したが、この円弧片１８ａの中心角θを変更することで、その設定数を２または４以上にすることも可能である。
【００１５】
中間支持部材２４は、スロープ部１８における各円弧片１８ａの案内面４４に当接する各倣い片２２を介して筒状中空部１４に昇降自在に配設され、筒状中空部１４へ挿入された飲料容器２０の底部を支持するようになっている。すなわち中間支持部材２４は、図２に示すように、筒状中空部１４の断面寸法より僅かに小さく設定された円盤形状をなしており、その上面は飲料容器２０を載置し得る容器載置面５６が形成されている。そして、筒状中空部１４の内部に昇降自在に配設されると共に、前述した付勢手段２６によって上方に付勢されて、常にはハウジング１６の上部開口３２に臨むようになっている。また、中間支持部材２４の下面における所要位置には、基台３０に設けた前述の下端係止片４０と同一形態の上端係止片４２が設けられている。なお、図１に示す如く、前述した支持筒部３６と対応する回動支軸３８が中間支持部材２４の下面中央位置に突設されており、これらの部材によって中間支持部材２４が安定的に昇降し得る。
【００１６】
更に、中間支持部材２４の容器載置面５６には、スクリューキャップ１２の開栓操作を確実に行ない得るように、飲料容器２０の底部の滑りを防止するノンスリップ材４８が貼着されている。このノンスリップ材４８の材質としては、前述した基台３０の底部に貼着されるノンスリップ材３４と同様に、例えば、合成樹脂やゴム等の摩擦係数の高いものが好適に採用される。
【００１７】
第１実施例に係る倣い片２２,２２,２２は、中間支持部材２４の下面において、前述した複数(３つ)の円弧片１８ａ,１８ａ,１８ａの案内面４４と対応的に当接可能に設けられ、該中間支持部材２４を支持するよう構成されている。すなわち各倣い片２２は、図４に示すように、中間支持部材２４から垂直下方に突設される垂直支持部５０と、該垂直支持部５０の内部に回転自在に収容されると共に、その一部を外方へ露出させて円弧片１８ａの案内面４４に当接する球体５２と、同じく垂直支持部５０の内部に配設されて該球体５２を常に外方へ付勢するバネ体５４とから構成されている。
【００１８】
これら倣い片２２,２２,２２は、図２(ａ)に示すように、前述した付勢手段２６の付勢力により、常には対応する各円弧片１８ａの最高位置Ｐｈに位置して中間支持部材２４が上部開口３２に臨むよう支持している。そして、中間支持部材２４に載置した飲料容器２０を押し下げると、各倣い片２２が対応の円弧片１８ａの案内面４４に沿ってその最低位置Ｐｌまで移動することに伴い、該中間支持部材２４に対して旋回運動を発現させるようになる。また、図２(ｂ)に示すように、各倣い片２２が隣接する円弧片１８ａの側面に当接することで、中間支持部材２４の旋回降下を停止させるようになる。
【００１９】
なお、倣い片２２,２２,２２の構造については、前述したものに限定されることはなく、例えば、垂直支持部５０の下端部と案内面４４とを、摩擦が小さくかつ耐摩耗性が良好な材質で形成することで、球体５２を省略することもできる。また、第１実施例における倣い片２２,２２,２２は、図２(ａ)に示すように、中間支持部材２４が上部開口３２の内側に当接したところで案内面４４の最高位置Ｐｈに位置するよう設定されており、付勢手段２６の付勢力により該案内面４４から隣接する円弧片１８ａの最低位置Ｐｌへ転落しないようになっている。但し、案内面４４の最高位置Ｐｈに規制突部または規制部材を設けて、倣い片２２が転落しないよう構成してもよい。
【００２０】
中間支持部材２４を上方へ付勢する付勢手段２６は、図１に示すように、例えば公知の圧縮捻りバネであって、該中間支持部材２４と基台３０との間に形成される空間に配設され、その上端部が前述した上端係止片４２に係止されている一方、下端部が前述した下端係止片４０に係支されている。このような付勢手段２６は、縦方向への弾性的な圧縮変形および周方向への弾性的な捻り変形が可能であるから、常には中間支持部材２４を上部開口３２に臨ませるように弾力付勢する。また付勢手段２６は、旋回しながら降下した中間支持部材２４に対する飲料容器２０の押し下げを解除することに伴い、該中間支持部材２４を反対方向へ逆旋回させながら上昇させ得る。
【００２１】
次に、前述した第１実施例に係る飲料容器の開栓装置１０の作用について説明する。
【００２２】
飲料容器２０の開栓操作を行なう際には、図５(ａ)に示すように、飲料容器２０を筒状中空部１４へ挿入し、上部開口３２に臨んでいる中間支持部材２４の容器載置面５６に載置させる。そして同図(ｂ)に示すように、スクリューキャップ１２を手で把持したもとで、飲料容器２０を下方へ力強く押し下げる。これにより、各円弧片１８ａに沿って対応の倣い片２２が移動することに伴って中間支持部材２４が旋回しながら筒状中空部１４内を降下するようになるため、該飲料容器２０に対して回転が付与されるようになる。この時、スクリューキャップ１２が回転しないように把持していることにより、容器本体４６だけが中間支持部材２４と共に回転するようになるため、該容器本体４６に対してスクリューキャップ１２が回転して開栓が行なわれるに至る。
【００２３】
なお、飲料容器２０におけるスクリューキャップ１２の開栓操作が完了した後、飲料容器２０に対する押し下げを解除すると、付勢手段２６の捻り付勢力に基づいて中間支持部材２４は反対方向(反時計方向)へ逆旋回しながら上昇するようになり、図２(ａ)に示した元の位置に復帰するようになる。
【００２４】
このように、第１実施例に係る飲料容器の開栓装置１０は、スクリューキャップ１２を把持しながら飲料容器２０を押し下げることで、該飲料容器２０に回転が付与されて該スクリューキャップ１２の開栓操作を行ない得る構成としたので、片手での開栓操作を行ない得るという極めて有益な効果を奏する。また、飲料容器２０に対して、縦方向へ力を加えるだけで開栓操作を行なうことが可能となり、力を加え易いので開栓を容易に行なうことができる。これにより、捻る力の弱い人や運転中のドライバーも容易に飲料容器２０を開栓することができる。
【００２５】
また、ハウジング１６の下面にノンスリップ材３４が貼着されるので、開栓の際にハウジング１６が滑ることがなく安定し、机等の上でも開栓装置１０を使用することができる。更に、第１実施例に係る開栓装置１０は、中間支持部材２４の容器載置面５６に、飲料容器２０の滑りを防止するノンスリップ材４８が貼着されているので、該飲料容器２０が確実に回動して安定的に開栓を行なうことができる。
【００２６】
(第１実施例の変更例)
前述した第１実施例の開栓装置１０では、スロープ部１８が、ハウジング１６の底部をなす基台３０上に突設されて同心でかつ同一の円周上にある３つの円弧片１８ａ,１８ａ,１８ａから構成されていたが、このスロープ部１８の態様は、例えば図１２に示すように変更することが可能である。この変更例に係る開栓装置１０のスロープ部１８は、ハウジング１６の底部をなす基台３０に突設されて同心でかつ異なる円周上にあり、夫々が同一方向への勾配が付されている複数(この変更例では３つ)の突出部である円弧片１８ｂ,１８ｂ,１８ｂからなっている。すなわち、変更例に係る各円弧片１８ｂは、第１実施例における円弧片１８ａの中心角θよりも大きく設定されており、基台３０の中心点Ｏを中心にして、異なる円周上に夫々がオーバーラップした状態で配設したものである。また各倣い片２２は、中間支持部材２４の下面において、各円弧片１８ｂの夫々と対応的に当接し得るように突設されている。このように円弧片１８ｂ,１８ｂ,１８ｂを、異なる円周上で夫々がオーバーラップした状態で基台３０に配設すれば、各円弧片１８ｂの中心角θを最大３６０°まで大きくすることが可能となり、飲料容器２０に付与される回転量を増大させることが可能となる。
【００２７】
(第２実施例)
図６は、第２実施例に係る飲料容器の開栓装置６０を示すものである。なお、第１実施例の開栓装置１０の説明に際して既出の部材、部位と同一のものについては同じ符号を付し、以下説明は省略する。
【００２８】
第２実施例に係る飲料容器の開栓装置６０は、スクリューキャップ１２付きの飲料容器２０が挿入される筒状中空部１４を有するハウジング６２と、このハウジング６２の内壁面(内側)に設けられたスロープ部６４と、ハウジング６２の筒状中空部１４に昇降自在に配設されて飲料容器２０の底部を支持し、スロープ部６４に当接する倣い片２２を有する中間支持部材２４と、常には中間支持部材２４を上方へ付勢する付勢手段２６とから基本的に構成されている。
【００２９】
開栓装置６０の外面を形成するハウジング６２は、該ハウジング６２の側部をなす有底筒体状の筒部材８２と、この筒部材８２の上部に取付けられて上部開口３２を有する蓋部材８０とから形成されており、その内部に飲料容器２０が挿入される筒状中空部１４を有している。そして筒部材８２の内壁面に、該内壁面に沿ってスロープ部６４が突設されている。また筒部材８２の底部には、載置面との滑りを防止するノンスリップ材３４が貼着されている。なお第２実施例においては、前述の如く有底筒状を呈するハウジング６２を採用したが、該ハウジング６２は上下が開放した中空状を呈するものも採用可能である。
【００３０】
スロープ部６４は、ハウジング６２の側部をなす前述の筒部材８２の内壁面に沿って突設されて螺旋の一部をなす複数(第２実施例では２つ)の突出部である円弧片６４ａ,６４ａからなっている。各円弧片６４ａは、ハウジング６２の上部開口３２近辺から所要の深さまで時計回りの方向へ下降傾斜しており、筒状中空部１４の内壁面の略半面(中心角θ＝１８０°)に亘り螺旋の一部をなして突設されている。そしてその上面には、中間支持部材２４に設けられた前述の倣い片２２,２２が対応的に当接する所要幅の案内面４４が形成されており、該倣い片２２,２２を当て受けながら案内するようになっている。
【００３１】
これにより、中間支持部材２４に載置した飲料容器２０を押し下げると、各倣い片２２が対応の円弧片６４ａの案内面４４に沿ってその最低位置Ｐ１まで移動することに伴い、該中間支持部材２４に対して約１８０°の旋回運動が発現されるようになり、該飲料容器２０に回転を付与し得るようになる。なお、第２実施例に係る倣い片２２,２２は、図６に示すように、中間支持部材２４の下面から半径方向外方へ延出するように設けられている。また、第２実施例においても、第１実施例で示した支持筒部３６および回動支軸３８等の部材を設け、中間支持部材２４が水平姿勢に保持されながら安定的に旋回し得るよう構成されている。但し、筒状中空部１４の内側面に沿って突出成形される円弧片６４ａ,６４ａの数は、１つだけに設定することも可能である。
【００３２】
従って、第２実施例に係る飲料容器の開栓装置６０においても、スクリューキャップ１２を把持しながら飲料容器２０を押し下げることで、該飲料容器２０に回転が付与されて該スクリューキャップ１２の開栓操作を行ない得る構成としたので、片手での開栓操作を行ない得るという極めて有益な効果を奏する。また、飲料容器２０に対して、縦方向へ力を加えるだけで開栓操作を行なうことが可能となり、力を加え易いので開栓を容易に行なうことができる。これにより、捻る力の弱い人や運転中のドライバーも容易に飲料容器２０を開栓することができる。
【００３３】
(第２実施例の変更例)
前述した第２実施例の開栓装置６０では、スロープ部６４が、ハウジング６２の側部をなす筒部材８２の内壁面に沿って螺旋の一部をなす半円状(回転角：１８０°)に突設された２つの円弧片６４ａ,６４ａから構成されていたが、このスロープ部６４の態様は、例えば図１３に示すように変更することが可能である。この変更例に係る開栓装置６０のスロープ部６４は、筒部材８２の内壁面に沿って数周に亘って突設されて螺旋状をなす突出部である突出片６４ｂからなっている。このように突出片６４ｂを螺旋状に突設することで、中間支持部材２４を数回転させることが可能となるので飲料容器２０に付与される回転量が大幅に増加し、スクリューキャップ１２を容器本体４６から完全に取り外し得るようになる。なお、中間支持部材２４が水平姿勢で旋回し得るよう第１実施例で示した支持筒部３６および回動支軸３８が設けられているので、突出片６４ｂに当接する倣い片２２は、中間支持部材２４の下面から外方へ延出するよう１つだけ設けてもよい。また変更例に係る開栓装置６０は、スロープ部６４の配設スペースの増大に合わせて、ハウジング６２は縦方向に延長されている。
【００３４】
(第３実施例)
図８は、第３実施例に係る飲料容器の開栓装置６６を示す断面図である。なお、第１,第２実施例で説明した同一の部材、部位については、同じ符号を付し、以下説明は省略する。
【００３５】
第３実施例に係る飲料容器の開栓装置６６は、スクリューキャップ１２付きの飲料容器２０が挿入される筒状中空部１４を有するハウジング６２と、このハウジング６２の内壁面(内側)に設けられたスロープ部６８と、ハウジング６２の筒状中空部１４に昇降自在に配設されて飲料容器２０の底部を支持し、スロープ部６８に当接する倣い片７０を有する中間支持部材２４と、常には中間支持部材２４を上方へ付勢する付勢手段２６とから基本的に構成されている。
【００３６】
スロープ部６８は、ハウジング６２の側部をなす前述の筒部材８２の内壁面に沿って凹設されて螺旋の一部をなす複数(第３実施例では２つ)の凹溝部である円弧溝６８ａ,６８ａからなっている。すなわち第３実施例のスロープ部６８は、第２実施例において示した突片状のスロープ部６４を溝状に変更した形態となっている。また倣い片７０,７０は、中間支持部材２４の外側縁から外方へ突設され、対応する円弧溝６８ａ,６８ａへ挿入されるようになっている。すなわち倣い片７０,７０は、図９に示すように、中間支持部材２４から水平に突設される水平支持部７２と、その内部に回転自在に配設される球体５２と、該球体５２を常に下方へ付勢するバネ体５４とから構成されている。こ
【００３７】
これにより、中間支持部材２４に載置した飲料容器２０を押し下げると、各倣い片７０が対応の円弧溝６８ａに沿ってその最低位置Ｐ１まで移動することに伴い、該中間支持部材２４に対して旋回運動が発現されるようになり、該飲料容器２０に回転を付与し得るようになる。なお、第３実施例においても、第１実施例で示した支持筒部３６および回動支軸３８等の部材を設け、中間支持部材２４が水平姿勢で旋回し得るよう構成とするのが望ましい。
【００３８】
従って、第３実施例に係る飲料容器の開栓装置６６においても、スクリューキャップ１２を把持しながら飲料容器２０を押し下げることで、該飲料容器２０に回転が付与されて該スクリューキャップ１２の開栓操作を行ない得る構成としたので、片手での開栓操作を行ない得るという極めて有益な効果を奏する。また、飲料容器２０に対して、縦方向へ力を加えるだけで開栓操作を行なうことが可能となり、力を加え易いので開栓を容易に行なうことができる。これにより、捻る力の弱い人や運転中のドライバーも容易に飲料容器２０を開栓することができる。
【００３９】
(第３実施例の変更例)
前述した第３実施例の開栓装置６６は、スロープ部６８が、ハウジング６２の側部をなす筒部材８２の内壁面に沿って螺旋の一部をなす半円状(回転角：１８０°)に凹設された２つの円弧溝６８ａ,６８ａから構成されていたが、このスロープ部６８の形態は、例えば図１４に示すように変更することが可能である。この変更例に係る開栓装置６６のスロープ部６８は、筒部材８２の内壁面に沿って数周に亘って凹設されて螺旋状をなす凹溝部である螺旋溝６８ｂからなっている。このように螺旋溝６８ｂを数周に亘って凹設することで、中間支持部材２４を数回転させることが可能となるので飲料容器２０に付与される回転量が大幅に増加し、スクリューキャップ１２を容器本体４６から完全に取り外し得るようになる。なお、中間支持部材２４が水平姿勢で旋回し得るよう第１実施例で示した支持筒部３６および回動支軸３８が設けられているので、螺旋溝６８ｂに突入して当接する倣い片７０は、中間支持部材２４の下面から外方へ延出するよう１つだけ設けてもよい。また変更例に係る開栓装置６６は、スロープ部６８の配設スペースの増大に合わせて、ハウジング６２は縦方向に延長されている。
【００４０】
なお、前述した第１〜第３の各実施例および夫々の変更例に係る開栓装置１０,６０,６６は、例えば図１０に示すように、自動車等の乗員室内に設置されるフロアコンソール７４等に設けた容器ホルダー７６に設置することも可能である。すなわち、フロアコンソール７４等の安定した車両内装部材に設けられた容器ホルダー７６の内部に開栓装置１０,６０,６６を挿入して設置し、該容器ホルダー７６の底部に設置した状態で該開栓装置１０,６０,６６を使用することができる。これにより、飲料容器２０を開栓した後に、そのまま容器ホルダー７６に収容して保持することができる。
【００４１】
そして、ハウジング１６,６２を上部開口３２より上方へ延出成形して高さ寸法を大きく設定すれば、この開栓装置１０,６０,６６自体を容器ホルダーとして機能させることも可能である。
【００４２】
また、図１１に示したように、本発明に係る飲料容器の開栓装置１０,６０,６６を上下逆向きにして使用することで、スクリューキャップ１２を開栓することもできる。すなわち、スクリューキャップ１２が挿入し得る程度のサイズに変更した開栓装置１０,６０,６６を上下逆向きにした状態で、該キャップ１２に対して上方から被せる。そして、飲料容器２０の容器本体４６を適宜の固定手段７８で固定した状態で開栓装置１０,６０,６６を押し下げることで、旋回する中間支持部材２４によりスクリューキャップ１２に回転が付与されて開栓が可能となる。従って、このような開栓装置１０,６０,６６を、例えば固定手段７８とセットにして、コンビニエンス・ストアや自動販売機等に設置しておけば、ひねる力の弱い老人や子供等でも容易にスクリューキャップ１２を開栓することができる。更に、荷物等によって片方の手が塞がれた人でも、片手で飲料容器２０を開栓することができる。
【００４３】
また、前述した第１〜第３の各実施例および夫々の変更例に係る開栓装置１０,６０,６６は、中間支持部材２４に対する旋回力を付与する付勢手段２６を圧縮捻れバネとした場合を例示したが、この付勢手段２６はこれに限定されるものではなく、該中間支持部材２４を常には上方へ付勢しながら旋回させ得るものであればよい。
【図面の簡単な説明】
【００４４】
【図１】第１実施例に係る飲料容器の開栓装置を示す分解斜視図である。
【図２】第１実施例に係る開栓装置の一部破断斜視図であって、(ａ)は中間支持部材が最上位置に上昇して上部開口に臨んだ状態を示し、(ｂ)は中間支持部材が旋回して最下位置に降下した状態を示している。
【図３】中間支持部材が回動する状態を示した説明平面図であって、(ａ)は図２(ａ)の状態を示し、(ｂ)は図２(ｂ)の状態を示すものである。
【図４】倣い片の先端構造を示した概略断面図である。
【図５】第１実施例に係る開栓装置を用いて飲料容器を開栓する様子を示した説明断面図であって、(ａ)は飲料容器を開栓装置に載置した場合を示し、(ｂ)は飲料容器を押し下げることでスクリューキャップを開栓させた場合を示している。
【図６】第２実施例に係る飲料容器の開栓装置を示す分解斜視図である。
【図７】第２実施例に係る開栓装置の説明断面図であって、(ａ)は中間支持部材が最上位置に上昇して上部開口に臨んだ状態を示し、(ｂ)は中間支持部材が旋回して最下位置に降下した状態を示している。
【図８】第３実施例に係る飲料容器の開栓装置の説明断面図であって、(ａ)は中間支持部材が最上位置に上昇して上部開口に臨んだ状態を示し、(ｂ)は中間支持部材が旋回して最下位置に降下した状態を示している。
【図９】第３実施例の開栓装置に実施されている倣い片を示す概略断面図である。
【図１０】前述した各実施例の開栓装置を、車両内装部材の容器ホルダーに設置した状態を示す斜視図である。
【図１１】開栓装置を上下逆向き姿勢で使用して、スクリューキャップを開栓する状態を示した説明図である。
【図１２】第１実施例の変更例に係る開栓装置を示す説明平面図である。
【図１３】第２実施例の変更例に係る開栓装置の説明断面図である。
【図１４】第３実施例の変更例に係る開栓装置の説明断面図である。
【符号の説明】
【００４５】
１２  スクリューキャップ
１４  筒状中空部
１６  ハウジング
１８  スロープ部
１８ａ  円弧片(突出部)
１８ｂ  円弧片(突出部)
２０  飲料容器
２２  倣い片
２４  中間支持部材
２６  付勢手段
３０  基台
６２  ハウジング
６４  スロープ部
６４ａ  円弧片(突出部)
６４ｂ  突出片(突出部)
６８  スロープ部
６８ａ  円弧溝(凹溝部)
６８ｂ  螺旋溝(円弧溝)
７０  倣い片
８２  筒部材
【図１】
2006021780.tif 000003
【図２】
2006021780.tif 000004
【図３】
2006021780.tif 000005
【図４】
2006021780.tif 000006
【図５】
2006021780.tif 000007
【図６】
2006021780.tif 000008
【図７】
2006021780.tif 000009
【図８】
2006021780.tif 000010
【図９】
2006021780.tif 000011
【図１０】
2006021780.tif 000012
【図１１】
2006021780.tif 000013
【図１２】
2006021780.tif 000014
【図１３】
2006021780.tif 000015
【図１４】
2006021780.tif 000016